(57)【特許請求の範囲】
【請求項１】
部品供給部においてリールからキャリアテープをテープフィーダによって引き出してピッチ送りして供給し、供給された部品を実装ヘッドによってピックアップして基板に実装する部品実装装置に用いられ、前記キャリアテープが巻回収納された部品実装装置用のリールであって、
前記キャリアテープには、前記リールのリール芯部に固定される終端部と、前記終端部の近傍に位置して前記キャリアテープに規定強度を超えて長さ方向の張力が作用することにより破断する脆弱部とが形成されており、
前記キャリアテープは、前記部品を収容するポケットを有するベーステープおよび前記ポケットをカバーして前記ベーステープに貼着されたカバーテープより成り、
前記ベーステープの端部よりも長手方向に単独で延出して設けられた前記カバーテープの終端部が前記リール芯部に固定されており、
前記脆弱部は前記カバーテープの終端部の近傍に位置して形成され、
前記ピッチ送りにより前記リール芯部から前記キャリアテープを前記脆弱部を境に分離することを特徴とする部品実装装置用のリール。
【発明の詳細な説明】
【技術分野】
【０００１】
本発明は、キャリアテープが巻回収納された部品実装装置用のリールおよびこのリールからキャリアテープを引き出して部品を供給する部品実装装置における部品供給方法に関するものである。
【背景技術】
【０００２】
部品実装装置においてキャリアテープに保持された部品を供給する場合には、テープフィーダが用いられる。キャリアテープはリールに巻回収納されており、テープフィーダによって引き出されてピッチ送りされることにより、実装ヘッドによる取り出し位置に移動する。従来より、１つのリールのキャリアテープが消費されてテープフィーダに部品を補充する場合、テープフィーダに装着されて使用中の先行テープに、新たなリールに収納された後続テープを継合するスプライシングを実施していた。スプライシング作業は２つのキャリアテープをアライメントやピッチのチェックを行いながらつなぎ合わせる作業であることから、作業者は部品補充の都度煩雑で手間を要する作業を強いられていた。このような作業者の負荷を軽減するため、２つのキャリアテープをつなぎ合わせることなく、先行テープの後から後続テープを追従させてテープフィーダに供給するスプライシングレスフィーダが提案されている（例えば特許文献１参照）
【先行技術文献】
【特許文献】
【０００３】
【特許文献１】特開２０１１−２１１１６９号公報
【発明の概要】
【発明が解決しようとする課題】
【０００４】
ところでキャリアテープが巻回収納された部品実装装置用のリールでは、キャリアテープの終端部はリール芯部に折り込みや貼着などの方法によって固定される。このため、１つのリールに収納されたキャリアテープが消費されてこのリールをテープフィーダから取り外す際には、キャリアテープを終端部が固定されたリール芯部から分離させる必要がある。従来より、部品補充のためのリール交換に際しては、作業者が手作業によってキャリアテープの終端部をカットするなどの煩雑な作業を必要としていた。このため、作業性・生産性向上を目的としてスプライシングレスフィーダを採用しても、なお部品補充の都度、先行テープの終端部をカットするための手作業が必要とされ、結果として所期の効果が得られないという課題があった。
【０００５】
そこで本発明は、キャリアテープを終端部が固定されたリール芯部から容易に分離することが可能な部品実装装置用のリールおよび部品実装装置における部品供給方法を提供することを目的とする。
【課題を解決するための手段】
【０００６】
本発明の部品実装装置用のリールは、部品供給部においてリールからキャリアテープをテープフィーダによって引き出してピッチ送りして供給し、供給された部品を実装ヘッドによってピックアップして基板に実装する部品実装装置に用いられ、前記キャリアテープが巻回収納された部品実装装置用のリールであって、前記キャリアテープには、前記リールのリール芯部に固定される終端部と、前記終端部の近傍に位置して前記キャリアテープに規定強度を超えて長さ方向の張力が作用することにより破断する脆弱部とが形成されており、前記ピッチ送りにより前記リール芯部から前記キャリアテープを前記脆弱部を境に分離する。
【０００７】
本発明の部品実装装置における部品供給方法は、部品供給部においてリールからキャリアテープをテープフィーダによって引き出してピッチ送りして供給し、供給された部品を実装ヘッドによってピックアップして基板に実装する部品実装装置における部品供給方法であって、前記キャリアテープには、前記リールのリール芯部に固定される終端部と、前記終端部の近傍に位置して前記キャリアテープに規定強度を超えて長さ方向の張力が作用することにより破断する脆弱部とが形成されており、前記ピッチ送りにより前記リール芯部から前記キャリアテープを前記脆弱部を境に分離する。
【発明の効果】
【０００８】
本発明によれば、キャリアテープにおいてリールのリール芯部に固定される終端部の近傍に位置して、キャリアテープに規定強度を超えて長さ方向の張力が作用することにより破断する脆弱部を形成しておくことにより、キャリアテープのピッチ送りに際して作用する張力によってリール芯部からキャリアテープを脆弱部を境に分離させることができ、キャリアテープを終端部が固定されたリール芯部から容易に分離することができる。
【図面の簡単な説明】
【０００９】
【図１】本発明の一実施の形態の部品実装装置の平面図
【図２】本発明の一実施の形態の部品実装装置の部分断面図
【図３】本発明の一実施の形態のテープフィーダの構成説明図
【図４】本発明の一実施の形態の部品実装装置における部品供給部の構成説明図
【図５】本発明の一実施の形態の部品実装装置の部品供給部に用いられるリール保持具の構造説明図
【図６】本発明の一実施の形態の部品実装装置の部品供給部に用いられるリールの構成説明図
【図７】本発明の一実施の形態の部品実装装置の供給対象となるキャリアテープの構成説明図
【図８】本発明の一実施の形態の部品実装装置の部品供給部に用いられるテープフィーダにおけるテープ送り方法の工程説明図
【図９】本発明の一実施の形態の部品実装装置の部品供給部に用いられるテープフィーダにおけるテープ送り方法の工程説明図
【図１０】本発明の一実施の形態の部品実装装置の部品供給部に用いられるリールの機能説明図
【発明を実施するための形態】
【００１０】
次に本発明の実施の形態を図面を参照して説明する。まず図１、図２を参照して、基板に電子部品を実装する部品実装装置１の構成を説明する。部品実装装置１は、基板に半導体チップなどの電子部品を実装する機能を有するものであり、図２は、図１におけるＡ−Ａ断面を部分的に示している。
【００１１】
図１において基台１ａの中央にはＸ方向（基板搬送方向）に基板搬送機構２が配設されている。基板搬送機構２は上流側から搬入された基板３を搬送し、部品実装作業を実行するために設定された実装ステージに位置決めして保持する。基板搬送機構２の両側方には、部品供給部４が配置されており、それぞれの部品供給部４には複数のテープフィーダ５が並列に装着されている。テープフィーダ５は、電子部品を収納したキャリアテープをテープ送り方向、すなわち部品供給部４の外側から基板搬送機構２に向かう方向にピッチ送りすることにより、以下に説明する部品実装機構の実装ヘッドによる部品吸着位置に電子部品を供給する。
【００１２】
基台１ａ上面においてＸ方向の一方側の端部には、リニア駆動機構を備えたＹ軸移動テーブル７が配設されており、Ｙ軸移動テーブル７には、同様にリニア駆動機構を備えた２基のＸ軸移動テーブル８が、Ｙ方向に移動自在に結合されている。２基のＸ軸移動テーブル８には、それぞれ実装ヘッド９がＸ方向に移動自在に装着されている。実装ヘッド９は複数の保持ヘッドを備えた多連型ヘッドであり、それぞれの保持ヘッドの下端部には、図２に示すように、電子部品を吸着して保持し個別に昇降可能な吸着ノズル９ａが装着されている。
【００１３】
Ｙ軸移動テーブル７、Ｘ軸移動テーブル８を駆動することにより、実装ヘッド９はＸ方向、Ｙ方向に移動する。これにより２つの実装ヘッド９は、それぞれ対応した部品供給部４のテープフィーダ５の部品吸着位置から電子部品を吸着ノズル９ａによって取り出して、基板搬送機構２に位置決めされた基板３の実装点に移送搭載する。Ｙ軸移動テーブル７、Ｘ軸移動テーブル８および実装ヘッド９は、電子部品を保持した実装ヘッド９を移動させることにより、電子部品を基板３に移送搭載する部品実装機構１０を構成する。
【００１４】
部品供給部４と基板搬送機構２との間には、部品認識カメラ６が配設されている。部品供給部４から電子部品を取り出した実装ヘッド９が部品認識カメラ６の上方を移動する際に、部品認識カメラ６は実装ヘッド９に保持された状態の電子部品を撮像して認識する。実装ヘッド９にはＸ軸移動テーブル８の下面側に位置して、それぞれ実装ヘッド９と一体的に移動する基板認識カメラ１１が装着されている。実装ヘッド９が移動することにより、基板認識カメラ１１は基板搬送機構２に位置決めされた基板３の上方に移動し、基板３を撮像して認識する。実装ヘッド９による基板３への部品実装動作においては、部品認識カメラ６による電子部品の認識結果と、基板認識カメラ１１による基板認識結果とを加味して搭載位置補正が行われる。
【００１５】
図２に示すように、部品供給部４にはフィーダベース１２ａに予め複数のテープフィーダ５が装着された状態の台車１２がセットされる。基台１ａに設けられた固定ベース１ｂに対して、フィーダベース１２ａをクランプ機構１２ｂによってクランプすることにより、部品供給部４において台車１２の位置が固定される。台車１２には、電子部品を保持したキャリアテープ１４を巻回状態で収納するリール１３が保持されている。リール１３から引き出されたキャリアテープ１４は、テープフィーダ５によって吸着ノズル９ａによる部品吸着位置までピッチ送りされる。
【００１６】
本実施の形態においては、テープフィーダ５は部品補給のためのリール１３の切り替えに際してキャリアテープ１４を継ぎ合わせるスプライシングを行わないスプライシングレス方式を採用している。そして部品供給部４にセットされる台車１２には、リール１３を保持することが可能な保持機構が設けられている。ここでは、保持機構は上下配置された第１保持機構１６Ａ、第２保持機構１６Ｂに、それぞれ２つのリール１３を保持したリール保持具１５を保持させる構成となっている。
【００１７】
すなわちリール保持具１５には、テープフィーダ５に既装着のキャリアテープ１４（１）（図３，図４参照。以下先行テープ１４（１）と略記する。）を供給する第１リール１３（１）および部品切れに際して新たに装着されるキャリアテープ１４（２）（図３，図４参照。以下後続テープ１４（２）と略記する。）を供給する第２リール１３（２）が一体的に保持されている。
【００１８】
第１保持機構１６Ａ、第２保持機構１６Ｂを上下配置することにより、複数並列して装着されたテープフィーダ５に使用されるリール１３を上下に千鳥配置することができ、フィーダ幅よりもリール幅が広いリール１３を、それぞれのテープフィーダ５に対応して相互の干渉を生じることなく配置することが可能となっている。
【００１９】
次に、図３を参照してテープフィーダ５の構成および機能を説明する。図３に示すように、テープフィーダ５は、本体部５ａおよび本体部５ａの下面から下方に凸設された装着部５ｂを備えた構成となっている。本体部５ａの下面をフィーダベース１２ａに沿わせてテープフィーダ５を装着した状態では、装着部５ｂに設けられたコネクタ部（図示省略）がフィーダベース１２ａに嵌合する。これにより、テープフィーダ５は部品供給部４に固定装着されるとともに、テープフィーダ５におけるテープ送りを制御するために内蔵されたテープ送り制御部２６は、部品実装装置１の制御部２７と電気的に接続される。
【００２０】
本体部５ａの内部には、リール１３から引き出されて本体部５ａ内に取り込まれたキャリアテープ１４を導くテープ走行路５ｃが設けられている。テープ走行路５ｃは、本体部５ａの下端部が上流側に延出した延出部５ｅと本体部５ａの上流端部との間に開口したテープ導入口５ｄから、実装ヘッド９によって電子部品を取り出す部品吸着位置まで連通して設けられている。部品実装作業を継続して実行する過程においては、１つのリール１３への収納分を単位ロットとする複数のキャリアテープ１４が、テープ導入口５ｄから順次挿入されてテープフィーダ５に供給される。
【００２１】
テープ走行路５ｃにおける下流側、上流側には、それぞれ第１のテープ送り機構２０Ａ、第２のテープ送り機構２０Ｂが配設されている。第１のテープ送り機構２０Ａ、第２のテープ送り機構２０Ｂは、いずれもキャリアテープ１４に設けられた送り孔に嵌合する送りピンが設けられたスプロケットを送りモータで回転駆動することにより、キャリアテープ１４をピッチ送りする構成となっている。
【００２２】
テープ走行路５ｃにおける下流側に設けられた第１のテープ送り機構２０Ａは、キャリアテープ１４を実装ヘッド９による部品吸着位置にピッチ送りする。第１のテープ送り機構２０Ａの上方にはテープ押さえ部材２３が配設されており、第１のテープ送り機構２０Ａによってピッチ送りされたキャリアテープ１４は、テープ押さえ部材２３によって上側から押さえ込まれてガイドされる。そしてキャリアテープ１４に保持された電子部品は、部品吸着位置に対応してテープ押さえ部材２３に形成された取り出し開口部２３ａを介して、実装ヘッド９の吸着ノズル９ａによって取り出される。
【００２３】
またテープ走行路５ｃにおける上流側に設けられた第２のテープ送り機構２０Ｂは、テープ導入口５ｄから導入されたキャリアテープ１４を下流側に送る機能を有している。第２のテープ送り機構２０Ｂの上流側には、キャリアテープ１４の追加供給時において、後続テープのテープ送り禁止・許容を切換えるストッパ機能を有するテープストッパ機構２１が配設されている。このストッパ機能により、テープスプライシングを行うことなくテープフィーダ５に送り込まれた後続テープを、先行テープが通過完了するまで待機・停留させることが可能となっている。
【００２４】
テープ走行路５ｃにおける第１のテープ送り機構２０Ａの上流側の部品吸着位置の近傍には、キャリアテープ１４を検出するための第１の検出位置Ｐ１が設定されており、第２のテープ送り機構２０Ｂの下流側であって第１の検出位置Ｐ１よりも上流側には、同様にキャリアテープ１４を検出するための第２の検出位置Ｐ２が設定されている。第１の検出位置Ｐ１、第２の検出位置Ｐ２にそれぞれ配設された第１のテープ検出センサＳ１、第２のテープ検出センサＳ２は、第１の検出位置Ｐ１、第２の検出位置Ｐ２におけるキャリアテープ１４の有無を検出する。
【００２５】
第１のテープ検出センサＳ１、第２のテープ検出センサＳ２による検出結果はテープ送り制御部２６に伝達され、テープ送り制御部２６はこれらの検出結果に基づいて第１のテープ送り機構２０Ａ、第２のテープ送り機構２０Ｂを制御する。第２のテープ送り機構２０Ｂには、上流側から下流側へのテープ送り方向に対応する方向のみの空転を許容し反対方向への空転を禁止するワンウェイクラッチ機構およびモータからスプロケットへの駆動伝達を断接する断接機構が内蔵されている。そしてモータおよびワンウェイクラッチ機構をテープ送り制御部２６によって制御することにより、テープ送り方向に対応する方向の空転を許容して、第２のテープ送り機構２０Ｂにおいてキャリアテープ１４を停留させる空転モードと、第２のテープ送り機構２０Ｂによってキャリアテープ１４をテープ送りする駆動モードとの切替が行われる。
【００２６】
本実施の形態においては、第１のテープ検出センサＳ１および第２のテープ検出センサＳ２によって、相前後して送られる２つのキャリアテープ１４のうち先行して送られる先行テープ１４（１）および後続して送られる後続テープ１４（２）のそれぞれの末尾端部Ｅおよび先頭端部Ｔをそれぞれ検出する（図８，図９参照）。そしてテープ送り制御部２６は、第１のテープ検出センサＳ１および第２のテープ検出センサＳ２による末尾端部Ｅおよび先頭端部Ｔの検出結果に基づいて、第１のテープ送り機構２０Ａおよび第２のテープ送り機構２０Ｂを制御することにより、テープ走行路５ｃにおける末尾端部Ｅと先頭端部Ｔとの間隔を予め設定された間隔制御パターンで制御するようにしている。
【００２７】
次に図４を参照して、部品供給部４にセットされる台車１２に、キャリアテープ１４を巻回収納したリール１３を保持させる際に用いられるリール保持具１５の機能について説明する。まず図４（ａ）は、台車１２がリール１３を保持するために本来備えた第１保持機構１６Ａ、第２保持機構１６Ｂのそれぞれに、単体のリール１３を保持させた状態を示している。
【００２８】
第１保持機構１６Ａは、１対の板部材を平行配置してリール１３が嵌入可能な嵌入部１７ａを形成した構成の保持部材１７の両端部に、リール１３の外周縁部に当接して支持する支持ピン１７ｂ、１７ｃを設けた構造となっている。対象とするリール１３を保持する際には、嵌入部１７ａにリール１３を嵌入させ、支持ピン１７ｂ、１７ｃによってリール１３を支持することにより、リール１３は第１保持機構１６Ａに保持される。
【００２９】
第２保持機構１６Ｂは、台車１２の底部１２ｃ上にＹ方向に傾斜した形状でＸ方向（紙面垂直方向）に連通して設けられた壁部材１８および壁部材１８の外側にリール１３を支持するための所定位置に配置された１対の支持部材１８ｂ、１８ｃより構成される。対象とするリール１３を保持する際には、壁部材１８の傾斜保持面１８ａにリール１３を当接させるとともに、支持部材１８ｂ、１８ｃによってリール１３を支持することにより、リール１３は第２保持機構１６Ｂに保持される。すなわち本実施の形態が対象とする部品実装装置１においては、第１保持機構１６Ａ、第２保持機構１６Ｂは、いずれも部品供給部４に単体のリール１３を保持することが可能に設けられている。
【００３０】
図４（ｂ）は、上述構成の第１保持機構１６Ａ、第２保持機構１６Ｂに、リール保持具１５を介してそれぞれ２つのリール１３を保持させる構成を示している。すなわち、リール保持具１５は部品実装装置１の部品供給部４に装着され、キャリアテープ１４を巻回収納した２つの第１リール１３（１）、第２リール１３（２）を保持し、第１保持機構１６Ａ、第２保持機構１６Ｂに一体的に着脱されるようになっている。第１リール１３（１）は、テープフィーダ５に既装着の先行テープ１４（１）を供給する現用リールであり、第２リール１３（２）は第１リール１３（１）に収納されたキャリアテープ１４が使い尽くされた後に用いられる予備用リールである。
【００３１】
本実施の形態では、第１リール１３（１）から引き出される先行テープ１４（１）と、第２リール１３（２）から引き出される後続テープ１４（２）とを継ぎ合わせることなく部品補給を行うスプライシングレス方式を採用しており、先行テープ１４（１）の終末端部に重ねて後続テープ１４（２）の開始端部をテープフィーダ５に差し込むことにより、テープ供給が連続的に継続実行される。
【００３２】
ここで図５を参照して、リール保持具１５の詳細構成を説明する。図５（ａ）（ｂ）に示すように、リール保持具１５は上述の第１リール１３（１）を保持する第１のリール保持部１９Ａと、第２リール１３（２）を保持する第２のリール保持部１９Ｂとを有している。第１のリール保持部１９Ａは、平行に対向配置された１対の略５角形状の側板部１５ａの内部に形成される空間の下部を、３つの底面からなる底部で閉囲した収納空間１９ｃを主体としている。これらの底面は、下流側から順に、下流端面側に向かって高くなる形状の傾斜底板部１５ｂ、水平形状の水平底板部１５ｄ、垂直形状の垂直底板部１５ｅを連結した形状となっており、側板部１５ａの両端部は連結支持ピン１５ｇ、１５ｈによって連結されている。
【００３３】
第１のリール保持部１９Ａの収納空間１９ｃ内に第１リール１３（１）を格納し（矢印ａ）、第１リール１３（１）の外周縁部を傾斜底板部１５ｂの内面の当接面１５ｃおよび連結支持ピン１５ｈに当接させることにより、第１リール１３（１）は第１のリール保持部１９Ａによって保持される。さらに第１のリール保持部１９Ａには、側板部１５ａの前端部、後端部に位置して、第１保持機構１６Ａにセットした状態において支持ピン１７ｃ、１７ｂとそれぞれ当接する当接面１５ｌ、当接面１５ｍが形成されている。そして水平底板部１５ｄの下面には、第２保持機構１６Ｂにセットした状態において支持部材１８ｃに係止される係支突起部１５ｆが突設されている。
【００３４】
また第２のリール保持部１９Ｂは、１対の板部材１５ｉを平行配置してリール１３が嵌合可能な嵌合空間を形成し、板部材１５ｉの両端部を連結支持ピン１５ｊ、１５ｋによって連結した構成となっている。第２のリール保持部１９Ｂの嵌合納空間内に第２リール１３（２）を格納し（矢印ｂ）、第２リール１３（２）の外周縁部を連結支持ピン１５ｊ、１５ｋに当接させることにより、第２リール１３（２）は第２のリール保持部１９Ｂによって保持される。
【００３５】
この保持状態において、リール保持具１５に保持された状態の第１リール１３（１）、第２リール１３（２）、すなわち第１のリール保持部１９Ａ、第２のリール保持部１９Ｂは、図５（ｃ）に示すように、キャリアテープ１４のピッチ送り方向を配列方向として直列配置される。これにより、１つのテープフィーダ５あたり複数のリール１３を配置する場合にあっても、部品供給部４においてスペースが制約されるＸ方向の占有幅を極力小さくすることが可能となっており、設備コンパクト化が確保される。
【００３６】
このようにして第１リール１３（１）、第２リール１３（２）を保持したリール保持具１５は、図４（ｂ）に示すように、台車１２の第１保持機構１６Ａ、第２保持機構１６Ｂに一体的に着脱自在に保持される。すなわちリール保持具１５を第１保持機構１６Ａに保持させる際には、第１のリール保持部１９Ａを嵌入部１７ａ内に嵌入させるとともに、支持ピン１７ｂ、１７ｃによってリール保持具１５の当接面１５ｌ、１５ｍ（図５（ａ）参照）を支持する。
【００３７】
すなわち第１のリール保持部１９Ａは、第１保持機構１６Ａにおいて第１リール１３（１）を保持するために設けられた嵌入部１７ａに嵌入可能に構成されている。またリール保持具１５を第２保持機構１６Ｂに保持させる際には、第１のリール保持部１９Ａの傾斜底板部１５ｂを傾斜保持面１８ａに当接させるとともに、係支突起部１５ｆを支持部材１８ｃに係支させ、さらに支持部材１８ｂによってリール保持具１５の当接面１５ｍ（図４参照）を支持する。
【００３８】
上記構成において第１のリール保持部１９Ａは、第１保持機構１６Ａおよび第２保持機構１６Ｂのそれぞれに着脱自在に構成されている。これにより、リール保持具１５を第１保持機構１６Ａ、第２保持機構１６Ｂの双方に装着することが可能となっている。このとき、前述のようにリール１３相互の干渉が生じないように構成されていることから、複数のリール１３を省スペースで配置することが可能となっている。
【００３９】
次に図６を参照して、本実施の形態においてキャリアテープ１４が巻回収納された部品実装装置用のリール１３の構成について説明する。図６（ａ）に示すように、１対の円形のリール側板１３ａを対向させた構成のリール１３の中央部には、リール芯部１３ｂが形成されている。リール芯部１３ｂの中心には軸支用の軸支孔１３ｃが設けられており、リール芯部１３ｂの外周部にはキャリアテープ１４の終端部１４Ｅを固定するための固定用スリット１３ｄが形成されている。リール１３には供給対象の電子部品を保持したキャリアテープ１４が所定量巻回収納され、この状態で部品実装装置１の部品供給部４に保持される。
【００４０】
図６（ｂ）は、巻回収納されるキャリアテープ１４の終端部１４Ｅが、リール芯部１３ｂに固定された状態を示している。すなわち、リール１３に収納されるキャリアテープ１４の終端部１４Ｅは、リール芯部１３ｂに半径方向にスリット状に切り込んで設けられた固定用スリット１３ｄに屈曲挿入され、さらに当該キャリアテープ１４について必要とされる固定度合いに応じて、接着剤３１によってリール芯部１３ｂの外周面に貼着固定される。なお、リール１３のリール芯部１３ｂの固定方法としては、固定用スリット１３ｄに挿入する方法、接着剤３１によって貼着する方法のほか、各種の固定手段を用いることができる。
【００４１】
本実施の形態に示すリール１３では、キャリアテープ１４において終端部１４Ｅの近傍に位置して、脆弱部３０が形成されている。脆弱部３０は、キャリアテープ１４に規定強度を超えて長さ方向の張力が作用することにより破断する強度特性を有している。この強度特性とは、具体的にはテープフィーダ５のテープ送り機構によるピッチ送り時にキャリアテープ１４に作用する張力によって確実に破断・分離するような条件を満たす特性であり、上述の規定強度は実際にピッチ送りを実行して破断の有無を確認することにより決定される。
【００４２】
図７は、キャリアテープ１４に形成される脆弱部３０の例を示している。これらに例示するキャリアテープ１４は、供給対象の電子部品を収容するポケット１４ｂおよびテープ送り機構を構成するスプロケットの送り爪が係合する送り穴１４ｃが形成されたリール側板１３ａに、ポケット１４ｂをカバーするカバーテープ１４ｅを貼着した構成となっている。図７（ａ）〜（ｄ）に示すポケット１４ｄは、電子部品が収容された状態のポケット１４ｂ（実ポケット）を示している。キャリアテープ１４の端部には、電子部品が収納されていないポケット１４ｂ（空ポケット）が所定数連続した空ポケット部が設けられている。
【００４３】
図７（ａ）、（ｂ）は、キャリアテープ１４において上述の空ポケットと実ポケットとの境界に脆弱部３０を形成した例を示している。図７（ａ）では、カバーテープ１４ｅが貼着されたベーステープ１４ａに、ミシン目加工などによって複数の孔部を線状に形成した連続孔３０ａが、脆弱部３０となっている。また図７（ｂ）に示す例では、カバーテープ１４ｅが貼着されたベーステープ１４ａの両側端部に形成されたＶノッチ形状の切り欠き部３０ｂが、脆弱部３０となっている。いずれの例でも、脆弱部３０はキャリアテープ１４の通常部分よりも引張り方向の強度が低下しており、テープ送り時にキャリアテープ１４に規定強度を超えて張力が作用することにより、キャリアテープ１４は脆弱部３０において破断する。
【００４４】
また図７（ｃ）、（ｄ）は、キャリアテープ１４においてカバーテープ１４ｅを、ベーステープ１４ａの端部よりも長手方向に単独で延出して設けた場合における脆弱部３０の例を示している。この場合には、キャリアテープ１４をリール１３に固定するに際して、カバーテープ１４ｅの終端部が直接リール芯部１３ｂに固定される。図７（ｃ）では、ベーステープ１４ａから延出した単独のカバーテープ１４ｅに、図７（ａ）と同様に形成した連続孔３０ａが脆弱部３０となっている。また図７（ｄ）に示す例では、単独のカバーテープ１４ｅの両側端部に形成されたＶノッチ形状の切り欠き部３０ｂが脆弱部３０となっている。
【００４５】
図７（ｃ）、（ｄ）に示す例では、キャリアテープ１４においてベーステープ１４ａから延出したカバーテープ１４ｅにのみ脆弱部３０が形成されていることから、脆弱部３０の強度が弱く小さな張力で破断させることができる。したがってテープピッチ送りにおいて、より簡単・確実にキャリアテープ１４を分離させることができる。
【００４６】
いずれの例でも、脆弱部３０はカバーテープ１４ｅの終端部の近傍に位置して形成されており、テープ送り時にキャリアテープ１４に規定強度を超えて張力が作用することにより、図７（ａ）（ｂ）に示す例と同様に、キャリアテープ１４は脆弱部３０において破断する。なお、脆弱部３０の形態は上述の連続孔３０ａ、切り欠き部３０ｂに限定されるものではなく、規定強度を超えて張力が作用した場合に破断するような強度特性を与える各種の機械的・化学的の加工方法を採用することが可能である。
【００４７】
次に図８，図９を参照して、部品供給部４においてリール１３からキャリアテープ１４をテープフィーダ５によって引き出してピッチ送りして供給し、供給された電子部品を実装ヘッド９によってピックアップして基板に実装する部品実装装置における部品供給方法について説明する。図８，図９は、リール１３から引き出されて、スプライシングを行うことなく相前後して送られる２つのキャリアテープ１４のうち、先行して送られる先行テープ１４（１）および後続して送られる後続テープ１４（２）をテープ走行路５ｃに沿って順次テープ送りする過程を示している。
【００４８】
まず図８（ａ）は、先行テープ１４（１）をテープ走行路５ｃに沿ってテープ送りしながら部品実装作業を実行中の状態を示している。すなわち、先行テープ１４（１）はテープ導入口５ｄを介してテープフィーダ５に導入され、第１のテープ送り機構２０Ａによってテープ送りされて（矢印ｇ）、部品吸着位置にて実装ヘッド９によって電子部品が先行テープ１４（１）から取り出される。
【００４９】
次いで部品実装作業を継続実行する過程において、先行テープ１４（１）からの部品供給が終了に近づくと、図８（ｂ）に示すように、後続テープ１４（２）を部品補充のために追加してセットする。すなわち先行テープ１４（１）が第２のテープ送り機構２０Ｂに係合した状態で、後続テープ１４（２）の先頭部をテープ導入口５ｄから導入し（矢印ｈ）、第２のテープ送り機構２０Ｂによって後続テープ１４（２）をテープストッパ機構２１までテープ送りする。このとき、テープストッパ機構２１は先行テープ１４（１）のみのテープ送りを許容し、後続テープ１４（２）のテープ送りは禁止される。
【００５０】
そしてこの状態で、第１のテープ送り機構２０Ａによる先行テープ１４（１）のテープ送り（矢印ｉ）および実装ヘッド９による電子部品の取り出しが継続して実行される。この過程において、第１リール１３（１）における先行テープ１４（１）の巻回収納量が終わりになると、先行テープ１４（１）の第１リール１３（１）からの分離が自動的に行われる。
【００５１】
すなわち図１０（ａ）に示すように、まずキャリアテープ１４がリール１３から引き出されることにより、リール１３にはキャリアテープ１４の終端部１４Ｅが固定されたリール芯部１３ｂが露呈した状態となる。そしてさらにキャリアテープ１４のピッチ送りが反復されると、リール１３ではキャリアテープ１４の巻き出し代が尽きていることから、図１０（ｂ）に示すように、キャリアテープ１４にはピッチ送りによる張力ＴＦが作用する。
【００５２】
ここでキャリアテープ１４の終端部１４Ｅの近傍には図６，図７に示す脆弱部３０が形成されていることから、キャリアテープ１４はリール芯部１３ｂから脆弱部３０を境に分離する。したがって、部品補充のためのリール交換に際して従来必要とされていた、作業者が手作業によってキャリアテープ１４の終端部１４Ｅの近傍をカットするなどの煩雑な作業を行う必要がない。
【００５３】
この後、図８（ｃ）に示すように、第２のテープ検出センサＳ２によって先行テープ１４（１）の末尾端部Ｅを検出したならば、図９（ａ）に示すように、第２のテープ送り機構２０Ｂを駆動して後続テープ１４（２）の先頭端部Ｔを第２の検出位置Ｐ２まで移動させるべく後続テープ１４（２）をテープ送りした後に（矢印ｊ）、この位置で待機させる。そしてこの状態で、第１のテープ送り機構２０Ａによる先行テープ１４（１）のテープ送り（矢印ｋ）および実装ヘッド９による電子部品の取り出しが継続して実行される。
【００５４】
そしてさらに第１のテープ送り機構２０Ａによる先行テープ１４（１）のテープ送り（矢印ｌ）を行う過程で、図９（ｂ）に示すように、第１のテープ検出センサＳ１によって先行テープ１４（１）の末尾端部Ｅを検出したならば、図９（ｃ）に示すように、第２のテープ送り機構２０Ｂを駆動して後続テープ１４（２）の先頭端部Ｔを第２の検出位置Ｐ２から第１の検出位置Ｐ１まで移動させるべく、後続テープ１４（２）をテープ送りする（矢印ｍ）。この過程において、第２リール１３（２）における後続テープ１４（２）の巻回収納量が終わりになると、図１０に示す例と同様に、後続テープ１４（２）の第２リール１３（２）からの分離が自動的に行われる。
【００５５】
上記説明したように、本実施の形態に示す部品実装装置用のリール１３および部品実装装置における部品供給方法では、キャリアテープ１４においてリール１３のリール芯部１３ｂに固定される終端部１４Ｅの近傍に位置して、キャリアテープ１４に規定強度を超えて長さ方向の張力が作用することにより破断する脆弱部３０を形成しておくようにしている。これにより、キャリアテープ１４のピッチ送りに際して作用する張力によってリール芯部１３ｂからキャリアテープ１４を脆弱部３０を境に分離させることができ、キャリアテープ１４を終端部１４Ｅが固定されたリール芯部１３ｂから容易に分離することができる。したがってリール交換に際して従来必要とされた作業者によってキャリアテープの終端部をカットするなどの煩雑な作業を必要とせず、作業性・生産性向上を目的としてスプライシングレスフィーダを採用した場合において、所期の効果を確保することが可能となっている。
【産業上の利用可能性】
【００５６】
本発明の部品実装装置用のリールおよび部品実装装置における部品供給方法は、キャリアテープを終端部が固定されたリール芯部から容易に分離することができるという効果を有し、テープフィーダから電子部品を取り出して基板に実装する部品実装分野において有用である。
【符号の説明】
【００５７】
１  部品実装装置
３  基板
４  部品供給部
５  テープフィーダ
９  実装ヘッド
１０  部品実装機構
１３  リール
１３ｂ  リール芯部
１３ｃ  軸支孔
１３ｄ  固定用スリット
１３（１）  第１リール
１３（２）  第２リール
１４  キャリアテープ
１４ａ  ベーステープ
１４ｅ  カバーテープ
１４（１）  先行テープ
１４（２）  後続テープ
１４Ｅ  終端部
１５  リール保持具
１６Ａ  第１保持機構
１６Ｂ  第２保持機構
１７ａ  嵌入部
１９Ａ  第１のリール保持部
１９Ｂ  第２のリール保持部
２０Ａ  第１のテープ送り機構
２０Ｂ  第２のテープ送り機構
２１  テープストッパ機構
【図１】
0006007411.tif 000002
【図２】
0006007411.tif 000003
【図３】
0006007411.tif 000004
【図４】
0006007411.tif 000005
【図５】
0006007411.tif 000006
【図６】
0006007411.tif 000007
【図７】
0006007411.tif 000008
【図８】
0006007411.tif 000009
【図９】
0006007411.tif 000010
【図１０】
0006007411.tif 000011